(57)【要約】【課題】  フィールド機器が設置されている現場において、フィールド機器よりも電源ラインの上位側で電源ＯＮ・ＯＦＦを可能にさせること及びその電源ＯＮ・ＯＦＦが視認あるいは確認できるフィールド機器を提供する。【解決手段】  フィールド機器は、フィールド機器ケースの内部に内蔵されている電源ケーブルを結線するための電源端子台と、前記フィールド機器ケースの一部に設けた前記電源ケーブルを挿通させるためのケーブルエントリー部と、前記フィールド機器ケースの外部であって前記ケーブルエントリー部の直近位置に設けた前記電源ケーブルをガイドするためのケーブルグランドと、を少なくとも備えたフィールド機器であって、前記ケーブルグランドの前記電源ケーブルをガイドする適宜位置に、前記電源ケーブルを短絡或は開放するスイッチ手段を設けたことである。【選択図】  図１
2008005570.tif 000002
【特許請求の範囲】
【請求項１】
フィールド機器ケース内に内蔵され、電源ケーブルが結線される電源端子台と、
前記フィールド機器ケースの一部に設けた前記電源ケーブルを挿通させるためのケーブルエントリー部と、
前記フィールド機器ケースの外部であって前記ケーブルエントリー部の直近位置に設けた前記電源ケーブルをガイドするためのケーブルグランドと、
を少なくとも備えたフィールド機器であって、
前記ケーブルグランドの前記電源ケーブルをガイドする適宜位置に、前記電源ケーブルを短絡或は開放するスイッチ手段を設けたことを特徴とするフィールド機器。
【請求項２】
前記ケーブルグランドには、前記スイッチ手段の駆動を知らせるタイマー機能を備えたことを特徴とする請求項１に記載のフィールド機器。
【請求項３】
前記ケーブルグランドには、前記スイッチ手段の誤操作を防止する誤操作防止機能を付加したことを特徴とする請求項１に記載のフィールド機器。
【請求項４】
前記ケーブルグランドには、前記スイッチ手段が通電状態であることを示す表示機能を設けたことを特徴とする請求項１に記載のフィールド機器。
【発明の詳細な説明】
【技術分野】
【０００１】
本発明は、フィールド機器に関し、詳しくは電源をＯＮ／ＯＦＦする機能が備わっていないフィールド機器の電源接続口に取付けられている配線用部品であるケーブルグランドの適宜位置に電源ケーブルの短絡或は開放するスイッチ手段を設けた構造のフィールド機器に関する。
【背景技術】
【０００２】
従来技術におけるフィールド機器は、図５に示すように、電源ケーブル１１を結線するための電源端子台１２がフィールド機器ケース１３の中に内蔵され、このフィールド機器ケース１３は外部からの電源供給のための電源ケーブル１１を挿通させるための電源接続口であるケーブルエントリー部１４を備え、ケース１３の外部であってケーブルエントリー部１４の直近位置には電源ケーブル１１をガイドするためのケーブルグランド１５を備えた構成になっている。
一方、電源ケーブル１１の上位側には、電源ケーブル１１に電源を供給するための制御計器室エリア１６があり、この制御計器室エリア１６には、電源１７と、電源ケーブル１１を短絡或は開放するスイッチ１８と、を備えた構成になっている。
このような構成のフィールド機器においては、フィールド機器のカバーを開けてケース１３内部にアクセスする際には、ケース１３内部での電源ラインなどのスパークを防止するために、ケース１３のカバーを開く前に制御計器室エリア１６のスイッチ１８を開放させ、フィールド機器への電源供給を断の状態にしてからケース１３のカバーを開けるようにしている。
【０００３】
【特許文献１】特開平７−２３５０９号公報（第３頁  第２図）
【発明の開示】
【発明が解決しようとする課題】
【０００４】
しかし、従来技術で説明したフィールド機器において、フィールド機器が危険ガス雰囲気エリアにおいて、フィールド機器のカバーを開けてケース内部にアクセス（スイッチでの設定変更、電源ラインの結線など）する作業が発生した場合に、電源ラインなどのスパークによる爆発事故を誘発させないため、必ずフィールド機器から遠方に設置されている制御計器室エリアでフィールド機器に供給されている電源をＯＦＦする必要があった。
このように、フィールド機器の設置現場では電源ラインのＯＦＦが行えず、また現場表示器が無いフィールド機器においては電源ＯＦＦの確認も出来ないという問題があった。
【０００５】
従って、フィールド機器が設置されている現場において、フィールド機器よりも電源ラインの上位側で電源ＯＮ・ＯＦＦを可能にさせること及びその電源ＯＮ・ＯＦＦが視認あるいは確認できることに解決しなければならない課題を有する。
【課題を解決するための手段】
【０００６】
上記課題を解決するために、本願発明のフィールド機器は、次に示す構成にしたことである。
【０００７】
（１）フィールド機器は、フィールド機器ケース内に内蔵され、電源ケーブルが結線される電源端子台と、前記フィールド機器ケースの一部に設けた前記電源ケーブルを挿通させるためのケーブルエントリー部と、前記フィールド機器ケースの外部であって前記ケーブルエントリー部の直近位置に設けた前記電源ケーブルをガイドするためのケーブルグランドと、を少なくとも備えたフィールド機器であって、前記ケーブルグランドの前記電源ケーブルをガイドする適宜位置に、前記電源ケーブルを短絡或は開放するスイッチ手段を設けたことである。
（２）前記ケーブルグランドには、前記スイッチ手段の駆動を知らせるタイマー機能を備えたことを特徴とする（１）に記載のフィールド機器。
（３）前記ケーブルグランドには、前記スイッチ手段の誤操作を防止する誤操作防止機能を付加したことを特徴とする（１）に記載のフィールド機器。
（４）前記ケーブルグランドには、前記スイッチ手段が通電状態であることを示す表示機能を設けたことを特徴とする（１）に記載のフィールド機器。
【発明の効果】
【０００８】
本提案によれば、電源ケーブル上位側の制御計器室エリア内でのスイッチが通電状態（ＯＮ）であっても、フィールド機器のケーブルグランドでの電源ＯＮ・ＯＦＦが可能になるため、制御計器室での電源操作が不要になる。
又、設置現場でフィールド機器への電源ラインのＯＮ・ＯＦＦが可能になるため、確実な電源ＯＦＦが確認された状態でフィールド機器の配線作業をすることができ、安全な計装工事を実現できる。
【発明を実施するための最良の形態】
【０００９】
次に、本願発明に係るフィールド機器の実施形態について、図面を参照して説明する。尚、従来技術で説明したものと同じものには同じ符号を付与して説明する。
【実施例１】
【００１０】
本願発明のフィールド機器は、図１に示すように、電源ケーブル１１と接続されている中継用結線ケーブル１９を結線するための電源端子台１２がフィールド機器ケース１３の中に内蔵され、このフィールド機器ケース１３は外部からの電源供給のための中継用結線ケーブル１９を挿通させるための電源接続口であるケーブルエントリー部１４を備え、ケース１３の外部であってケーブルエントリー部１４の直近位置には電源ケーブル１１をガイドするためのケーブルグランド１５を備えた構成になっている。
そして、このケーブルエントリー部１４には中継用結線ケーブル１９が差し込まれて、中継用結線ケーブル１９の一方の端部が電源端子台１２に結線されている。
中継用結線ケーブル１９はケーブルエントリー部１４から配線されており、その他方の端部は、ケーブルエントリー部１４の直近位置に配置されているケーブルグランド１５に設けてある中継用結線ケーブル端子２１に結線されている。
【００１１】
ケーブルグランド１５は、ケーブルエントリー部１４に直近する位置に設けられ、電源ケーブル１１をガイド配線するものでケーブルエントリー部１４側に中継用結線ケーブル１９と結線する中継用結線ケーブル端子２１を備え、少し距離をおいた位置に電源ケーブル１１と結線する電源ケーブル端子２２を備えた構成になっている。
【００１２】
この中継用結線ケーブル端子２１と電源ケーブル端子２２との間に、電源ケーブル１１を短絡或は開放するためのスイッチ手段２３を設けた構成になっている。
スイッチ手段２３は、両端子２１、２２間の間に設けた２本の配線のうち一方の配線を開閉するスイッチ２４で構成されている。
【００１３】
一方、フィールド機器から遠方の位置には、フィールド機器に電源を供給するために制御計器室エリア１６が存在し、その制御計器室エリア１６には、フィールド機器への電源の供給をＯＮ／ＯＦＦするためのスイッチ１８を設けた構成になっている。このスイッチ１８でフィールド機器への電源の供給をＯＮ／ＯＦＦ制御することができる構成になっていることは従来技術で説明したものと同様である。
【００１４】
このような構成のフィールド機器においては、フィールド機器内部での電源のＯＮ／ＯＦＦ作業が生じた場合には、制御計器室エリア１６のスイッチ１８をＯＮ／ＯＦＦすることなく、フィールド機器直近のケーブルグランド１５に設けたスイッチ手段２３のスイッチ２４をＯＮ／ＯＦＦすることでフィールド機器への電源の供給を制御することができるのである。
【００１５】
これは、フィールド機器が危険ガス雰囲気エリアにおいて、フィールド機器のカバーを開けてケース１３内部にアクセス（スイッチでの設定変更、電源ラインの結線など）する作業が発生した場合に、電源ラインなどのスパークによる爆発事故を誘発させないため、必ずフィールド機器から遠方に設置されている制御計器室エリア１６でフィールド機器に供給されている電源をＯＦＦする必要に替わって、フィールド機器近傍のケーブルグランド１５に設けてあるスイッチ２４をＯＮ／ＯＦＦすることで遠方の制御計器室エリア１６に行かなくても、現場において作業を円滑に行うことができるのである。
【００１６】
図２に示すものは、ケーブルグランド１５に通電ＯＮ／ＯＦＦスイッチ操作後の経過時間を知らせるタイマー機能２５を追加したものである。
上記図１で説明したものにタイマー機能２５を付与したもので、フィールド機器において、電源ＯＦＦ後の配線作業をする際に一定時間待つ必要のある仕様の機器、例えば、機器内部の電気部品の温度上昇、キャパシタンスのエネルギーの関係でカバー開閉（＝配線作業）に待ち時間制限のあるフィールド機器に使用する場合を考慮して、ケーブルグランド１５にタイマー機能２５を設ける構成にする。
【００１７】
このように、例えば電源ＯＦＦ後に所定時間経過を知らせる機能、例えばＬＥＤ表示、ビープ音などにより、作業者は機器の仕様に沿った安全な配線作業が可能になるのである。
【００１８】
図３に示すものは、ケーブルグランド１５のスイッチ手段２３のスイッチ２４に誤操作防止機能２６を付加したものである。
上記図１で説明したものに誤操作防止機能２６を付加したもので、ケーブルグランド１５に有するスイッチ手段２３のスイッチ２４を誤って操作出来ないよう、スイッチ操作部分を特殊工具でのみアクセス可能な構造にする。又、他の方法としてスイッチ操作部に暗証機能を持たせ、特定者にのみ操作できるようにして誤操作を防止する。
【００１９】
図４に示すものは、ケーブルグランド１５のスイッチ手段２３に通電状態がわかるように表示機能２７を付加したものである。
上記図１で説明したものに表示機能を付加したもので、フィールド機器自身にＬＣＤ表示が無い仕様の場合、通電状態が設置現場では確認できない。現場で確認する手段として、ケーブルグランド１５にＬＥＤランプなどの表示機能２７を設けて通電状態の有無を表示させて視認できるようにする。
【産業上の利用可能性】
【００２０】
電源ケーブル上位側の制御計器室エリア内でのスイッチが通電状態（ＯＮ）であっても、フィールド機器のケーブルグランドでの電源ＯＮ・ＯＦＦを可能にしたフィールド機器を提供する。
【図面の簡単な説明】
【００２１】
【図１】本願発明のフィールド機器を略示的に示した説明図である。
【図２】同、タイマー機能を付加したフィールド機器を略示的に示した説明図である。
【図３】同、スイッチの誤操作防止機能を付加したフィールド機器を略示的に示した説明図である。
【図４】同、タイマー機能を付加したフィールド機器を略示的に示した説明図である。
【図５】従来技術におけるフィールド機器を略示的に示した説明図である。
【符号の説明】
【００２２】
１１      電源ケーブル
１２      電源端子台
１３      フィールド機器ケース
１４      ケーブルエントリー部
１５      ケーブルグランド
１６      制御計器室エリア
１７      電源
１８      スイッチ
１９      中継用結線ケーブル
２１      中継用結線ケーブル端子
２２      電源ケーブル端子
２３      スイッチ手段
２４      スイッチ
２５      タイマー機能
２６      誤操作防止機能
２７      表示機能
【図１】
2008005570.tif 000003
【図２】
2008005570.tif 000004
【図３】
2008005570.tif 000005
【図４】
2008005570.tif 000006
【図５】
2008005570.tif 000007